(57)【要約】【課題】  検査者が反射波のピーク振幅の最大値を確定するための所定の猶予時間を予め設定して測定を行うことにより、１回の測定において、複数の該最大値の情報を取得することができるため、検査者の作業量を軽減することのできる超音波非破壊検査装置を提供する。【解決手段】  超音波非破壊検査装置１０１は、被検体２１の内部へ超音波パルスを送波する超音波パルス発生手段１３と、前記超音波パルスの反射波を受波する反射波受波手段１４と、前記反射波受波手段が受波した前記反射波のピーク振幅の最大値を確定するための所定の猶予時間を設定する制御情報入力手段１１と、前記制御情報入力手段において設定された前記所定の猶予時間に基づき、前記反射波のピーク振幅の最大値を確定するピーク振幅最大値確定手段３を有するピーク検出部１９とを具備する。【選択図】図１
2006017594.tif 000002
【特許請求の範囲】
【請求項１】
被検体内部へ超音波パルスを送波する超音波パルス発生手段と、
前記超音波パルスの反射波を受波する反射波受波手段と、
前記反射波受波手段が受波した前記反射波のピーク振幅の最大値を確定するための所定の猶予時間を設定する制御情報入力手段と、
前記制御情報入力手段において設定された前記所定の猶予時間に基づき、前記反射波のピーク振幅の最大値を確定するピーク振幅最大値確定手段と、
を具備したことを特徴とする超音波非破壊検査装置。
【発明の詳細な説明】
【技術分野】
【０００１】
本発明は、超音波非破壊検査装置に関し、特に、予め設定された反射波のピーク振幅の最大値を確定するための所定の猶予時間に基づき、複数の反射波のピーク値を確定することができる超音波非破壊検査装置に関するものである。
【背景技術】
【０００２】
従来より、超音波非破壊検査装置は、工業分野等において広く用いられている。超音波非破壊検査装置は、被検体に対して超音波パルスを送波した後、底面、損傷箇所等からの反射波を受波することにより、被検体内部の状態の観測を行うことができる装置である。例えば、特許文献１に提案されているような超音波非破壊検査装置は、ゲート信号がオンしている範囲内において、反射波であるエコーのピーク値および路程を測定することにより、被検体内部の損傷の大きさ、損傷位置等の観測を行うことができる。
【特許文献１】特開平９−３３４９４号公報
【発明の開示】
【発明が解決しようとする課題】
【０００３】
しかし、特許文献１に提案されているような超音波非破壊検査装置は、エコーのピーク値および路程の測定を複数回行う場合、測定の都度ゲート信号がオンする範囲の設定を変更して測定を行わなければならないため、検査者の作業量が多くなるという課題がある。
【０００４】
本発明は、前述した点に鑑みてなされたものであり、検査者が反射波のピーク振幅の最大値を確定するための所定の猶予時間を予め設定して測定を行うことにより、１回の測定において、複数の該最大値の情報を取得することができるため、検査者の作業量を軽減することのできる超音波非破壊検査装置を提供することを目的としている。
【課題を解決するための手段】
【０００５】
本発明における超音波非破壊検査装置は、被検体内部へ超音波パルスを送波する超音波パルス発生手段と、前記超音波パルスの反射波を受波する反射波受波手段と、前記反射波受波手段が受波した前記反射波のピーク振幅の最大値を確定するための所定の猶予時間を設定する制御情報入力手段と、前記制御情報入力手段において設定された前記所定の猶予時間に基づき、前記反射波のピーク振幅の最大値を確定するピーク振幅最大値確定手段とを具備する。
【発明の効果】
【０００６】
本発明における超音波非破壊検査装置によれば、検査者が反射波のピーク振幅の最大値を確定するための所定の猶予時間を予め設定して測定を行うことにより、１回の測定において、複数の該最大値の情報を取得することができるため、検査者の作業量を軽減することができる。
【発明を実施するための最良の形態】
【０００７】
以下、図面を参照して本発明の実施の形態を説明する。
【０００８】
図１は、本実施形態に係る超音波非破壊検査装置の構成を示す図である。図２は、本実施形態に係る超音波非破壊検査装置のピーク検出部および演算手段の内部構成を示す図である。図３は、本実施形態に係る超音波非破壊検査装置において、反射波のピーク振幅の最大値が確定するまでのフローを示すタイミングチャートである。
【０００９】
本実施形態に係る超音波非破壊検査装置１０１は、図１に示すように、制御情報入力手段１１と、超音波パルス発生手段１３と、反射波受波手段１４と、波形整形手段１５と、画像メモリ１６と、演算手段１７と、表示手段１８と、ピーク検出部１９と、超音波プローブ２０とを有する。
【００１０】
超音波パルス発生手段１３は、超音波プローブ２０に対して超音波パルスを発生させるために必要なパルス電圧を印加することにより、超音波プローブ２０を介して被検体内部へ超音波パルスを送波する。
【００１１】
超音波プローブ２０は、図示しない超音波振動子等を内部に有し、超音波パルス発生手段１３により印加されたパルス電圧に基づいて超音波振動子を振動させ、超音波振動子を振動させることにより発生した超音波パルスを被検体２１の内部に送波する。また、超音波プローブ２０は、送波した超音波パルスが、被検体２１の底面、損傷箇所等において反射した反射波を受波した後、該反射波を電気信号に変換し、反射波受波手段１４に反射波信号を送信する。
【００１２】
反射波受波手段１４は、反射波信号である超音波プローブ２０により信号化された前記反射波を受波した後、反射波信号の増幅を行い、波形整形手段１５に増幅後の反射波信号を送信する。
【００１３】
波形整形手段１５は、反射波受波手段１４から送信された増幅後の反射波信号に対し、例えば、フィルタ処理等の波形整形を行い、波形整形後の反射波信号を、画像メモリ１６と、ピーク検出部１９とに対して送信する。
【００１４】
画像メモリ１６は、波形整形手段１５から送信された波形整形後の反射波信号を一時保存し、表示手段１８に各種情報が表示されるタイミングにおいて、該反射波信号を表示手段１８に送信する。
【００１５】
制御情報入力手段１１は、図示しない、例えば、キーボード等のインターフェイスを有し、検査者は、該インターフェイスにより、例えば、反射波受波手段１４が受波した反射波のピーク振幅の最大値を確定するための所定の猶予時間等を設定することができる。なお、前記所定の猶予時間であるピーク確定猶予時間は、超音波プローブ２０の固有振動数およびダンピング特性に基づき、割り出すことができる設定値である。また、ピーク確定猶予時間は、一度設定した後、検査者が表示手段１８のモニタ上に表示されるピーク情報に基づいて変更を行うことが可能である。
【００１６】
ピーク検出部１９は、波形整形手段１５から送信された波形整形後の反射波信号と、制御情報入力手段１１において設定された前記所定の猶予時間とに基づき、反射波受波手段１４が受波した反射波のピーク振幅の検出およびピーク振幅の最大値の確定を行う。そして、ピーク検出部１９は、前記ピーク振幅の最大値および前記ピーク振幅の最大値を検出した時間を、演算手段１７と、表示手段１８とに送信する。
【００１７】
演算手段１７は、前記ピーク振幅の最大値および前記ピーク振幅の最大値を検出した時間に基づき、所定の演算等を行った後、演算結果等を表示手段１８に送信する。また、演算手段１７は、検査者が制御情報入力手段１１において入力した指示等に基づき、該指示等の内容に応じた演算を行う。
【００１８】
表示手段１８は、図示しないモニタ等を有し、画像メモリ１６から送信された波形整形後の反射波信号と、演算手段１７から送信された前記演算結果等と、ピーク検出部１９から送信されたピーク情報である前記ピーク振幅の最大値および前記ピーク振幅の最大値を検出した時間とを、該モニタに出力して各々の内容の表示を行う。
【００１９】
次に、演算手段１７およびピーク検出部１９の内部構成について、図２を参照しつつ説明を行う。
【００２０】
ピーク検出部１９は、ノイズ除去手段１と、ピーク振幅保持手段２と、ピーク振幅最大値確定手段３と、時間計測手段４と、ピーク時間保持手段５と、メモリ６と、アドレス生成手段７とを有する。
【００２１】
ノイズ除去手段１は、波形整形手段１５から送信された波形整形後の反射波信号に含まれるノイズを除去し、ノイズを除去した後の反射波信号をピーク振幅保持手段２に送信する。
【００２２】
ピーク振幅保持手段２は、例えば、図示しないレジスタ等の記録手段を有し、ノイズ除去手段１から送信された反射波信号のピーク振幅の最大値を検出し、そして、該最大値が更新されるまでの間、該最大値の情報を該記録手段内に保持する。また、ピーク振幅保持手段２は、反射波信号のピーク振幅の最大値が更新されるタイミング毎に、ピーク振幅の最大値を検出したことを示す最大値検出信号を、ピーク振幅最大値確定手段３と、ピーク時間保持手段５とに対して送信する。さらに、ピーク振幅保持手段２は、ピーク振幅最大値確定手段３から送信された最大値確定信号を受信した際に、自身が保持しているピーク振幅の最大値の情報をメモリ６に対して送信した後、ピーク振幅の最大値をクリアする。なお、前記最大値確定信号については、後述にて説明するものとする。
【００２３】
時間計測手段４は、超音波パルス発生手段１３が超音波パルスを発生したタイミングにおいて時間の計測を開始し、計測した該時間の情報をピーク時間保持手段５に送信する。
【００２４】
ピーク時間保持手段５は、例えば、図示しないレジスタ等の記録手段を有し、ピーク振幅保持手段２から送信された最大値検出信号を受信したタイミングにおいて、時間計測手段４から送信された時間を記録し、そして、ピーク振幅保持手段２から再び最大値検出信号が送信されるまでの間、該時間の情報を該記録手段内に保持する。
【００２５】
メモリ６は、ピーク振幅最大値確定手段３から送信された最大値確定信号を受信した際に、ピーク振幅保持手段２が保持しているピーク振幅の最大値の情報と、ピーク時間保持手段５が保持している最大値検出信号を受信した時間の情報とを、アドレス生成手段７から送信されるアドレス生成信号に基づき、所定のアドレスに格納して記録する。なお、前記最大値確定信号および前記アドレス生成信号については、後述にて説明するものとする。
【００２６】
ピーク振幅最大値確定手段３は、制御情報入力手段１１において設定された、反射波受波手段１４が超音波プローブ２０を介して受波した反射波のピーク振幅の最大値を確定するための所定の猶予時間と、ピーク振幅保持手段２から送信された、最大値検出信号とに基づいて該反射波のピーク振幅の最大値を確定した後、最大値確定信号を、ピーク振幅保持手段２と、メモリ６と、アドレス生成手段７とに対して送信する。
【００２７】
アドレス生成手段７は、ピーク振幅最大値確定手段３から送信される最大値確定信号を受信したタイミング毎に、メモリ６が記録しているピーク振幅の最大値の情報と、最大値検出信号を受信した時間の情報とを所定のアドレスに格納して記録するように、メモリ６にアドレス生成信号を送信する。
【００２８】
また、演算手段１７は、数値表示手段８と、ＴＣＧ（時間補正利得）演算手段９とＤＡＣ（距離振幅補正）表示手段１０とを有する。
【００２９】
数値表示手段８は、メモリ６の所定のアドレスに格納された、ピーク振幅の最大値の情報と、最大値検出信号を受信した時間の情報とに基づき、各々の数値情報を表示手段１８に表示するための信号を生成し、該信号を表示手段１８に送信する。
【００３０】
ＴＣＧ演算手段９は、メモリ６の所定のアドレスに格納された、ピーク振幅の最大値の情報と、最大値検出信号を受信した時間の情報とに基づき、ピーク振幅の最大値の利得の補正量と、利得補正を行うタイミングとを算出し、該補正量および該タイミングの算出結果を信号化して表示手段１８に送信する。
【００３１】
ＤＡＣ表示手段１０は、メモリ６の所定のアドレスに格納された、ピーク振幅の最大値の情報と、最大値検出信号を受信した時間の情報とに基づき、距離振幅補正曲線を表示手段１８に表示するための演算を行い、該演算結果を信号化して表示手段１８に送信する。
【００３２】
次に、本実施形態に係る超音波非破壊検査装置１０１において、反射波のピーク振幅の最大値が確定するタイミングについて、図３を参照しつつ説明を行う。
【００３３】
反射波受波手段１４から送信される反射波信号がピーク検出部１９のピーク振幅保持手段２に入力されると、第１のピーク振幅の最大値ａａ１が検出されるまでは、反射波のピーク振幅の最大値は更新され続けるため、ピーク振幅保持手段２は、反射波のピーク振幅の最大値が検出されるタイミング毎に、該ピーク振幅の最大値の情報を更新しつつ保持する。また、ピーク振幅保持手段２は、反射波のピーク振幅の最大値が更新されるタイミング毎に、ピーク振幅の最大値を検出したことを示す最大値検出信号を、ピーク時間保持手段５とに対して送信する。前記最大値検出信号を検出したピーク時間保持手段５は、ピーク振幅保持手段２から送信される最大値検出信号を受信したタイミング毎に、該最大値検出信号を受信した時間の情報を更新しつつ保持する。
【００３４】
第１のピーク振幅の最大値ａａ１が検出された場合、ピーク振幅保持手段２は、第１のピーク振幅の最大値ａａ１を保持し、また、ピーク時間保持手段５は、反射波信号がピーク検出部１９のピーク振幅保持手段２に入力されてから、第１の最大値検出信号を受信するまでの時間ａｔ１を保持する。そして、ピーク振幅保持手段２は、ピーク振幅最大値確定手段３に対して最大値検出信号を送信する。前記最大値検出信号を受信したピーク振幅最大値確定手段３は、制御情報入力手段１１において設定された、所定の猶予時間であるピーク確定猶予時間に基づき、第１のピーク振幅の最大値ａａ１および第１の最大値検出信号を受信した時間ａｔ１が保持されている時間の計測を行う。
【００３５】
そして、ピーク確定猶予時間に到達する前に、第１のピーク振幅の最大値ａａ１よりも大きい値である第２のピーク振幅の最大値ａａ２が検出された場合、ピーク振幅保持手段２は、第１のピーク振幅の最大値ａａ１を第２のピーク振幅の最大値ａａ２に更新して保持し、また、ピーク時間保持手段５は、第１の最大値検出信号を受信した時間ａｔ１を第２の最大値検出信号を受信した時間ａｔ２に更新して保持する。さらに、前述した状態において、ピーク振幅最大値確定手段３は、制御情報入力手段１１において設定された、所定の猶予時間であるピーク確定猶予時間に基づき、第２のピーク振幅の最大値ａａ２および第２の最大値検出信号を受信した時間ａｔ２が保持されている時間の計測を行う。
【００３６】
その後、図３に示すように、ピーク確定猶予時間に到達する前に、第２のピーク振幅の最大値ａａ２よりも小さい値である第３のピーク振幅の最大値ａａ３が検出されたとしても、第２のピーク振幅の最大値ａａ２および第２の最大値検出信号を受信した時間ａｔ２は更新されず、ピーク振幅最大値確定手段３は、ピーク確定猶予時間に基づく時間の計測を引き続き行う。そして、ピーク振幅最大値確定手段３は、ピーク確定猶予時間が経過した際に、ピーク振幅の最大値を確定させるための第１の最大値確定信号を、ピーク振幅保持手段２と、メモリ６と、アドレス生成手段７とに送信する。第１の最大値確定信号を受信したピーク振幅保持手段２は、自身が保持している第２のピーク振幅の最大値ａａ２の情報をメモリ６に対して送信した後、第２のピーク振幅の最大値ａａ２の情報をクリアする。また、ピーク振幅保持手段２を介して第１の最大値確定信号を受信したピーク時間保持手段５は、自身が保持している第２の最大値検出信号を受信した時間ａｔ２の情報をメモリ６に対して送信する。さらに、第１の最大値確定信号を受信したアドレス生成手段７は、第２のピーク振幅の最大値ａａ２の情報と、反射波信号がピーク検出部１９のピーク振幅保持手段２に入力されてから、第２の最大値検出信号を受信するまでの時間ａｔ２の情報とを、例えば、図３に示すように、アドレス番号１番に格納して記録を行うように、メモリ６にアドレス生成信号を送信する。メモリ６は、ピーク振幅最大値確定手段３から送信された第１の最大値確定信号を受信した際に、ピーク振幅保持手段２が保持している第２のピーク振幅の最大値ａａ２の情報と、ピーク時間保持手段５が保持している第２の最大値検出信号を受信した時間ａｔ２の情報とを、ピーク情報ａ２として、アドレス生成手段７から送信されるアドレス生成信号に基づき、アドレス番号１番に格納して記録する。
【００３７】
メモリ６がピーク情報ａ２をアドレス番号１番に格納して記録した後、新たな反射波信号がピーク検出部１９のピーク振幅保持手段２に入力されると、第４のピーク振幅の最大値ｂａ１が検出されるまでは、反射波のピーク振幅の最大値は更新され続けるため、ピーク振幅保持手段２は、反射波のピーク振幅の最大値が検出されるタイミング毎に、該ピーク振幅の最大値の情報を更新しつつ保持する。また、ピーク振幅保持手段２は、反射波のピーク振幅の最大値が更新されるタイミング毎に、ピーク振幅の最大値を検出したことを示す最大値検出信号を、ピーク時間保持手段５に対して送信する。前記最大値検出信号を検出したピーク時間保持手段５は、ピーク振幅保持手段２から送信される最大値検出信号を受信したタイミング毎に、該最大値検出信号を受信した時間の情報を更新しつつ保持する。
【００３８】
第４のピーク振幅の最大値ｂａ１が検出された場合、ピーク振幅保持手段２は、第４のピーク振幅の最大値ｂａ１を保持し、また、ピーク時間保持手段５は、第４の最大値検出信号を受信した時間ｂｔ１を保持する。そして、ピーク振幅保持手段２は、ピーク振幅最大値確定手段３に対して最大値検出信号を送信する。前記最大値検出信号を受信したピーク振幅最大値確定手段３は、制御情報入力手段１１において設定された、所定の猶予時間であるピーク確定猶予時間に基づき、第４のピーク振幅の最大値ｂａ１および反射波信号がピーク検出部１９のピーク振幅保持手段２に入力されてから、第４の最大値検出信号を受信するまでの時間ｂｔ１が保持されている時間の計測を行う。
【００３９】
そして、ピーク確定猶予時間に到達する前に、第４のピーク振幅の最大値ｂａ１よりも大きい値である第５のピーク振幅の最大値ｂａ２が検出された場合、ピーク振幅保持手段２は、第４のピーク振幅の最大値ｂａ１を第５のピーク振幅の最大値ｂａ２に更新して保持し、また、ピーク時間保持手段５は、第４の最大値検出信号を受信した時間ｂｔ１を第５の最大値検出信号を受信した時間ｂｔ２に更新して保持する。さらに、前述した状態において、ピーク振幅最大値確定手段３は、制御情報入力手段１１において設定された、所定の猶予時間であるピーク確定猶予時間に基づき、第５のピーク振幅の最大値ｂａ２および第５の最大値検出信号を受信した時間ｂｔ２が保持されている時間の計測を行う。
【００４０】
その後、図３に示すように、ピーク確定猶予時間に到達する前に、第５のピーク振幅の最大値ｂａ２よりも小さい値である第６のピーク振幅の最大値ｂａ３が検出されたとしても、第５のピーク振幅の最大値ｂａ２および第２の最大値検出信号を受信した時間ｂｔ２は更新されず、ピーク振幅最大値確定手段３は、ピーク確定猶予時間に基づく時間の計測を引き続き行う。そして、ピーク振幅最大値確定手段３は、ピーク確定猶予時間が経過した際に、ピーク振幅の最大値を確定させるための第２の最大値確定信号を、ピーク振幅保持手段２と、メモリ６と、アドレス生成手段７とに送信する。第２の最大値確定信号を受信したピーク振幅保持手段２は、自身が保持している第５のピーク振幅の最大値ｂａ２の情報をメモリ６に対して送信した後、第５のピーク振幅の最大値ｂａ２の情報をクリアする。また、ピーク振幅保持手段２を介して第２の最大値確定信号を受信したピーク時間保持手段５は、自身が保持している第５の最大値検出信号を受信した時間ｂｔ２の情報をメモリ６に対して送信する。さらに、第２の最大値確定信号を受信したアドレス生成手段７は、第５のピーク振幅の最大値ｂａ２の情報と、反射波信号がピーク検出部１９のピーク振幅保持手段２に入力されてから、第５の最大値検出信号を受信するまでの時間ｂｔ２の情報とを、例えば、図３に示すように、アドレス番号２番に格納して記録を行うように、メモリ６にアドレス生成信号を送信する。メモリ６は、ピーク振幅最大値確定手段３から送信された第２の最大値確定信号を受信した際に、ピーク振幅保持手段２が保持している第５のピーク振幅の最大値ｂａ２の情報と、ピーク時間保持手段５が保持している第５の最大値検出信号を受信した時間ｂｔ２の情報とを、ピーク情報ｂ２として、アドレス生成手段７から送信されるアドレス生成信号に基づき、アドレス番号２番に格納して記録する。
【００４１】
メモリ６がピーク情報ｂ２をアドレス番号２番に格納して記録した後、新たな反射波信号がピーク検出部１９のピーク振幅保持手段２に入力されると、第７のピーク振幅の最大値ｃａ１が検出されるまでは、反射波のピーク振幅の最大値は更新され続けるため、ピーク振幅保持手段２は、反射波のピーク振幅の最大値が検出されるタイミング毎に、該ピーク振幅の最大値の情報を更新しつつ保持する。また、ピーク振幅保持手段２は、反射波のピーク振幅の最大値が更新されるタイミング毎に、ピーク振幅の最大値を検出したことを示す最大値検出信号を、ピーク時間保持手段５に対して送信する。前記最大値検出信号を検出したピーク時間保持手段５は、ピーク振幅保持手段２から送信される最大値検出信号を受信したタイミング毎に、該最大値検出信号を受信した時間の情報を更新しつつ保持する。
【００４２】
第７のピーク振幅の最大値ｃａ１が検出された場合、ピーク振幅保持手段２は、第７のピーク振幅の最大値ｃａ１を保持し、また、ピーク時間保持手段５は、第７の最大値検出信号を受信した時間ｃｔ１を保持する。そして、ピーク振幅保持手段２は、ピーク振幅最大値確定手段３に対して最大値検出信号を送信する。前記最大値検出信号を受信したピーク振幅最大値確定手段３は、制御情報入力手段１１において設定された、所定の猶予時間であるピーク確定猶予時間に基づき、第７のピーク振幅の最大値ｃａ１および反射波信号がピーク検出部１９のピーク振幅保持手段２に入力されてから、第７の最大値検出信号を受信するまでの時間ｃｔ１が保持されている時間の計測を行う。
【００４３】
そして、ピーク確定猶予時間に到達する前に、第７のピーク振幅の最大値ｃａ１よりも大きい値である第８のピーク振幅の最大値ｃａ２が検出された場合、ピーク振幅保持手段２は、第７のピーク振幅の最大値ｃａ１を第８のピーク振幅の最大値ｃａ２に更新して保持し、また、ピーク時間保持手段５は、第７の最大値検出信号を受信した時間ｃｔ１を第８の最大値検出信号を受信した時間ｃｔ２に更新して保持する。さらに、前述した状態において、ピーク振幅最大値確定手段３は、制御情報入力手段１１において設定された、所定の猶予時間であるピーク確定猶予時間に基づき、第８のピーク振幅の最大値ｃａ２および第８の最大値検出信号を受信した時間ｃｔ２が保持されている時間の計測を行う。
【００４４】
その後、図３に示すように、ピーク確定猶予時間に到達する前に、第８のピーク振幅の最大値ｃａ２よりも小さい値である第９のピーク振幅の最大値ｃａ３が検出されたとしても、第８のピーク振幅の最大値ｃａ２および第８の最大値検出信号を受信した時間ｃｔ２は更新されず、ピーク振幅最大値確定手段３は、ピーク確定猶予時間に基づく時間の計測を引き続き行う。そして、ピーク振幅最大値確定手段３は、ピーク確定猶予時間が経過した際に、ピーク振幅の最大値を確定させるための第３の最大値確定信号を、ピーク振幅保持手段２と、メモリ６と、アドレス生成手段７とに送信する。第３の最大値確定信号を受信したピーク振幅保持手段２は、自身が保持している第８のピーク振幅の最大値ｃａ２の情報をメモリ６に対して送信した後、第８のピーク振幅の最大値ｃａ２の情報をクリアする。また、ピーク振幅保持手段２を介して第３の最大値確定信号を受信したピーク時間保持手段５は、自身が保持している第８の最大値検出信号を受信した時間ｃｔ２の情報をメモリ６に対して送信する。さらに、第３の最大値確定信号を受信したアドレス生成手段７は、第８のピーク振幅の最大値ｃａ２の情報と、反射波信号がピーク検出部１９のピーク振幅保持手段２に入力されてから、第８の最大値検出信号を受信するまでの時間ｃｔ２の情報とを、例えば、図３に示すように、アドレス番号３番に格納して記録を行うように、メモリ６にアドレス生成信号を送信する。メモリ６は、ピーク振幅最大値確定手段３から送信された第３の最大値確定信号を受信した際に、ピーク振幅保持手段２が保持している第８のピーク振幅の最大値ｃａ２の情報と、ピーク時間保持手段５が保持している第８の最大値検出信号を受信した時間ｃｔ２の情報とを、ピーク情報ｃ２として、アドレス生成手段７から送信されるアドレス生成信号に基づき、アドレス番号３番に格納して記録する。
【００４５】
メモリ６がピーク情報ｃ２をアドレス番号３番に格納して記録した後、新たな反射波信号がピーク検出部１９のピーク振幅保持手段２に入力されると、第１０のピーク振幅の最大値ｄａ１が検出されるまでは、反射波のピーク振幅の最大値は更新され続けるため、ピーク振幅保持手段２は、反射波のピーク振幅の最大値が検出されるタイミング毎に、該ピーク振幅の最大値の情報を更新しつつ保持する。また、ピーク振幅保持手段２は、反射波のピーク振幅の最大値が更新されるタイミング毎に、ピーク振幅の最大値を検出したことを示す最大値検出信号を、ピーク時間保持手段５に対して送信する。前記最大値検出信号を検出したピーク時間保持手段５は、ピーク振幅保持手段２から送信される最大値検出信号を受信したタイミング毎に、該最大値検出信号を受信した時間の情報を更新しつつ保持する。
【００４６】
第１０のピーク振幅の最大値ｄａ１が検出された場合、ピーク振幅保持手段２は、第１０のピーク振幅の最大値ｄａ１を保持し、また、ピーク時間保持手段５は、第１０の最大値検出信号を受信した時間ｄｔ１を保持する。そして、ピーク振幅保持手段２は、ピーク振幅最大値確定手段３に対して最大値検出信号を送信する。前記最大値検出信号を受信したピーク振幅最大値確定手段３は、制御情報入力手段１１において設定された、所定の猶予時間であるピーク確定猶予時間に基づき、第１０のピーク振幅の最大値ｄａ１および反射波信号がピーク検出部１９のピーク振幅保持手段２に入力されてから、第１０の最大値検出信号を受信するまでの時間ｄｔ１が保持されている時間の計測を行う。
【００４７】
そして、ピーク確定猶予時間に到達する前に、第１０のピーク振幅の最大値ｄａ１よりも大きい値である第１１のピーク振幅の最大値ｄａ２が検出された場合、ピーク振幅保持手段２は、第１０のピーク振幅の最大値ｄａ１を第１１のピーク振幅の最大値ｄａ２に更新して保持し、また、ピーク時間保持手段５は、第１０の最大値検出信号を受信した時間ｄｔ１を第１１の最大値検出信号を受信した時間ｄｔ２に更新して保持する。さらに、前述した状態において、ピーク振幅最大値確定手段３は、制御情報入力手段１１において設定された、所定の猶予時間であるピーク確定猶予時間に基づき、第１１のピーク振幅の最大値ｄａ２および第１１の最大値検出信号を受信した時間ｄｔ２が保持されている時間の計測を行う。
【００４８】
その後、図３に示すように、ピーク確定猶予時間に到達する前に、第１１のピーク振幅の最大値ｄａ２よりも小さい値である第１２のピーク振幅の最大値ｄａ３が検出されたとしても、第１１のピーク振幅の最大値ｄａ２および第１１の最大値検出信号を受信した時間ｄｔ２は更新されず、ピーク振幅最大値確定手段３は、ピーク確定猶予時間に基づく時間の計測を引き続き行う。そして、ピーク振幅最大値確定手段３は、ピーク確定猶予時間が経過した際に、ピーク振幅の最大値を確定させるための第４の最大値確定信号を、ピーク振幅保持手段２と、メモリ６と、アドレス生成手段７とに送信する。第４の最大値確定信号を受信したピーク振幅保持手段２は、自身が保持している第１１のピーク振幅の最大値ｄａ２の情報をメモリ６に対して送信した後、第１１のピーク振幅の最大値ｄａ２の情報をクリアする。また、ピーク振幅保持手段２を介して第４の最大値確定信号を受信したピーク時間保持手段５は、自身が保持している第１１の最大値検出信号を受信した時間ｄｔ２の情報をメモリ６に対して送信する。さらに、第４の最大値確定信号を受信したアドレス生成手段７は、第１１のピーク振幅の最大値ｄａ２の情報と、反射波信号がピーク検出部１９のピーク振幅保持手段２に入力されてから、第１１の最大値検出信号を受信するまでの時間ｄｔ２の情報とを、例えば、図３に示すように、アドレス番号４番に格納して記録を行うように、メモリ６にアドレス生成信号を送信する。メモリ６は、ピーク振幅最大値確定手段３から送信された第４の最大値確定信号を受信した際に、ピーク振幅保持手段２が保持している第１１のピーク振幅の最大値ｄａ２の情報と、ピーク時間保持手段５が保持している第１１の最大値検出信号を受信した時間ｄｔ２の情報とを、ピーク情報ｄ２として、アドレス生成手段７から送信されるアドレス生成信号に基づき、アドレス番号４番に格納して記録する。そして、全ての測定が終了すると、時間計測手段４は、計測時間のリセットを行い、また、ピーク時間保持手段５は、保持している記録手段内の時間の情報のクリアを行う。
【００４９】
以上述べたように、本実施形態の超音波非破壊検査装置１０１は、検査者が制御情報入力手段１１において設定したピーク確定猶予時間に基づき、４種類のピーク情報を１度の測定において取得することができる。
【００５０】
なお、本実施形態においては、超音波非破壊検査装置１０１は、図３に示すように、ピーク情報ａ２と、ピーク情報ｂ２と、ピーク情報ｃ２と、ピーク情報ｄ２との４種類のピーク情報の取得を行っているが、ピーク情報の取得回数は、４回に限るものではなく、制御情報入力手段１１において検査者が設定した任意の回数分の取得が可能である。
【００５１】
本実施形態の超音波非破壊検査装置１０１は、検査者がピーク確定猶予時間を予め設定して測定を行うことにより、１回の測定において、複数のピーク情報を取得することができるため、検査者の作業量を軽減することができる。また、本実施形態の超音波非破壊検査装置１０１は、１回の測定において複数のピーク情報を取得できる。そのため、例えば、プローブおよび被検体の状態の変化による擾乱が雑音となって観測され、該雑音のピーク値がエコーのピーク値であるというように、誤った測定結果が出力されることを軽減することができ、その結果、測定結果の精度を高めることができる。
【図面の簡単な説明】
【００５２】
【図１】本実施形態に係る超音波非破壊検査装置の構成を示す図。
【図２】本実施形態に係る超音波非破壊検査装置のピーク検出部および演算手段の内部構成を示す図。
【図３】本実施形態に係る超音波非破壊検査装置において、反射波のピーク振幅の最大値が確定するタイミングを示すタイミングチャート。
【符号の説明】
【００５３】
１  ノイズ除去手段、２  ピーク振幅保持手段、３  ピーク振幅最大値確定手段、４  時間計測手段、５  ピーク時間保持手段、６  メモリ、７  アドレス生成手段、８  数値表示手段、９  ＴＣＧ演算手段、１０  ＤＡＣ表示手段、１１  制御情報入力手段、１３  超音波パルス発生手段、１４  反射波受波手段、１５波形整形手段、１６  画像メモリ、１７  演算手段、１８  表示手段、１９  ピーク検出部、２０  超音波プローブ、２１  被検体、１０１  超音波非破壊検査装置
代理人    弁理士    伊  藤    進
【図１】
2006017594.tif 000003
【図２】
2006017594.tif 000004
【図３】
2006017594.tif 000005